(57)【要約】【課題】杖具に適用できる振動防止構造を提供する。【解決手段】本考案による振動防止構造は第一杖部及び第二杖部を含み、二つの杖部は脱着式挿合構造を採用する。第一杖部及び第二杖部の挿合部には振動防止作用を有する圧縮バネが設置され、第一杖部を挿入接続した後、ナットと外ねじ溝の螺合により第一杖部と第二杖部は係合される。第一杖部のストッパーリングには凸リブが設けられており、凸リブと第二杖部の内孔壁のリブ溝を嵌合させることで、組立て時に方向決め及び位置決めの役割を果たすことができ、ナットと外ねじ溝の螺合及び取り外しをスピーディーに行い、組立効率を高めることができる。よって、本考案はシンプルかつ加工がし易く、優れた強度を有する構造を実現できるだけでなく、第一、第二杖部の相対浮動関係により、より理想的な振動防止効果を得ることができるため、耐久性を向上させたものとなる。【選択図】図１
0003143876.tif 000002
【実用新案登録請求の範囲】
【請求項１】
杖具に適用できる振動防止構造であって、
第一杖部及び第二杖部を含み、
前記第一杖部の一端が第二杖部に脱着できるように挿入され、前記第一杖部及び前記第二杖部の接続部には振動防止作用を有する圧縮バネが設置され、
前記圧縮バネは前記第一杖部に装着され、前記圧縮バネ一端は前記第一杖部にあるストッパーリングによって抑止され、前記圧縮バネの他端は前記第二杖部の内側に挿入されてそれと対応する肩部によって抵止され、
前記ストッパーリングと前記第一杖部は互いに連結し、前記ストッパーリングの外周には凸リブが設けられ、前記第二杖部と相対する内孔壁には前記ストッパーリングの凸リブを嵌合するためのリブ溝が形成され、前記第二杖部の挿接側には外ねじ溝が形成され、当該外ねじ溝は前記第一杖部のナットを螺合するために用いられ、当該ナットと前記第一杖部は、脱着式挿合を実現可能である、
振動防止構造。
【請求項２】
前記ストッパーリングは、金属、プラスチックまたは繊維材質を用い、前記第一杖部に装着した後、リベット接続により固定される、
請求項１に記載の振動防止構造。
【請求項３】
前記ストッパーリングの外周には、凸リブが設けられ、前記第二杖部と相対する内孔壁には前記ストッパーリングの凸リブを嵌合するためのリブ溝が形成される、
請求項１に記載の振動防止構造。
【考案の詳細な説明】
【技術分野】
【０００１】
本考案は、杖具に関し、特に杖具に適用できる振動防止構造に関する。
【背景技術】
【０００２】
登山杖、ステッキ等の杖は身体を支え、バランスを取り、歩行の補助をする等の役割がある。登山杖、ステッキを使用した時の振動を防止、低減させるため、通常は登山杖、ステッキ上に振動防止構造を設置し、若しくは、その局部に振動防止構造を設置することで、その振動防止構造の振動吸収機能により、登山杖、ステッキが地面と接した際の振動が手まで伝わることを防止し、安全かつ快適な使い心地を実現できる。但し、このような従来の構造型態は使用上、下記の問題が見受けられる。
【０００３】
１．構造性が欠如しており、パーツ間の組立て安定性が悪いため、故障により振動防止機能が失われる。
【０００４】
２．組立て、分解が不便であり、使い勝手が悪く、手入れがし難い。
【０００５】
よって、従来構造の問題点を改善し、より理想的で実用性を伴った新型構造を開発することは消費者が待望することであり、関連業者の目指すところでもある。
【考案の開示】
【考案が解決しようとする課題】
【０００６】
本考案の目的は、杖具に適用できる振動防止構造を提供することにある。
【課題を解決するための手段】
【０００７】
前述した目的を達成するために、本考案による杖用振動防止構造は、第一杖部及び第二杖部を含み、この二つの杖部は脱着式挿合構造により、即ち第一杖部の一端を第二杖部に挿入し、さらに第一杖部及び第二杖部の挿合部には振動防止作用を有する圧縮バネが設置されており、圧縮バネは第一杖部に装着され、その一端は第一杖部にあるストッパーリングによって抑止され、圧縮バネの他端は第二杖部の内側に挿入されてそれと対応する肩部によって抵止されている。この構造におけるストッパーリングと第一杖部は互いに連結しており、ストッパーリングの外周には凸リブが設けられ、第二杖部と相対する内孔壁にはストッパーリングの凸リブを嵌合するためのリブ溝が形成されている。第二杖部の挿接側には外ねじ溝が形成されており、その外ねじ溝は第一杖部のナットを螺合するために用いられ、これによりナットと第一杖部は脱着式挿合を実現できる。
【考案の効果】
【０００８】
本考案により、従来の振動防止構造に見られる構造性の欠如による故障、組立分解が不便といった欠点及び諸問題を克服、改善するができる。
【考案を実施するための最良の形態】
【０００９】
次に、添付した図面を参照しながら、本考案の好適な実施形態を詳細に説明する。
【００１０】
図１〜図４は本考案における杖用振動防止構造の好適実施例である。但し、これらの実施例は説明をするための参考とするが、本考案は、その構造に制限されない。
【００１１】
本考案における杖用振動防止構造は第一杖部１０及び第二杖部２０を含み、この二つの杖部は脱着式挿合構造により、即ち第一杖部１０の一端を第二杖部２０に挿入し、さらに第一杖部１０及び第二杖部２０の挿合部には振動防止作用を有する圧縮バネ３０が設置されており、圧縮バネ３０は第一杖部１０に装着され、その一端は第一杖部１０にあるストッパーリング４０によって抑止され、圧縮バネ３０の他端は第二杖部２０の内側に挿入されて一つの肩部２１によって抵止されている。圧縮バネ３０はその弾性回帰力によって第一、第二杖部１０、２０を支え、第一、第二杖部１０、２０の間に弾性接続を形成し、浮動状態とすることで振動防止の効果を実現することができる。
【００１２】
上記のストッパーリング４０は金属、プラスチックまたは繊維材質を用いることが可能で、第一杖部１０に装着した後、リベット接続によって固定すれば、第一杖部１０との結合が完成する。この構造において、ストッパーリング４０の外周には凸リブ４１が設けられ、第二杖部２０と相対する内孔壁にはストッパーリング４０の凸リブ４１を嵌合するためのリブ溝２２が形成されている。凸リブ４１とリブ溝２２を嵌合させることで、組立方向を明示し、位置決めの役割を果たすことができる。この仕組みにより、組立効率を高めるだけでなく、第一杖部１０と第二杖部２０の間の同軸精度を確保するができる。
【００１３】
なお、ストッパーリング４０外周の凸リブ４１は顧客のニーズに合わせて設置または不設置を選択することができる。
凸リブ４１を設置した場合、より頑丈な構造を実現し、回転防止の役割を果たすことができる。逆に、凸リブ４１を設置しない場合、ストッパーリング４０が隙間に挟まった時、回転させれば杖具を引っ張り出すことができるため、杖具を傷付けるのを防止することができる。全般的にいえば、凸リブ４１の設置有無にかかわらず、杖具の構造は強固なものである。
【００１４】
この構造において、第二杖部２０と第一杖部１０の挿接端には外ねじ溝２３が形成されており、その外ねじ溝２３は第一杖部１０のナット５０を螺合するために用いられ、これによりナット５０と第一杖部１０は脱着可能な挿合関係を実現できる。ここで述べるナット５０は遮蔽作用を有するだけでなく、第一杖部１０と第二杖部２０の接続を強化すると同時に第一杖部１０の位置決めを行い、第一杖部１０と第二杖部２０の干渉を防ぐことができる。このような組合せ構造により、巧みな伸縮動作及び優れた振動防止效果を実現できる。
【００１５】
また、この構造において、第一杖部１０と第二杖部２０を挿接した後、凸リブ４１とリブ溝２２を互いに嵌合させることで第一杖部１０及び第二杖部２０は固定されて回転できなくなるため、ナット５０と外ねじ溝２３の螺合を素早く行い、組立効率を高め、より強固かつ安定した組立構造を実現できる。
【００１６】
上述の構造、設計に基づいた本考案の使用状況を以下に説明する。
【００１７】
図２、図３、図４は本考案の振動防止構造を登山杖の先端（即ち石付き部）に設置した場合を示している。この時、第一杖部１０は登山杖の上段となり、第二杖部２０は登山杖の下段となる。第二杖部２０の外端部は地面に接しており、第一杖部１０の上端は持ち手としてのグリップを装着できる。この構造において、第一杖部１０の下端の適切な位置にストッパーリング４０を設置することで、圧縮バネ３０を抑止できるだけでなく、ストッパーリング４０の上方肩部４２はナット５０の脱落を有効に防ぐことができる。圧縮バネ３０は第一杖部１０に装着され、第一杖部１０とともに第二杖部２０の相対位置に設けられた挿接孔３１に装着することができる。挿接孔３１内の肩部２１はちょうど圧縮バネ３０の他端を抑止し、第一杖部１０と第二杖部２０の間に相対浮動関係が形成され、即ち両者は縦方向に伸縮可能な状態となる。よって、第二杖部２０が地面に接して衝撃を受けた時、圧縮バネ３０の伸縮特性により振動を吸収し、振動が手まで伝わるのを防止できるため、手を傷めることなく、より安全かつ快適に使用することができる。
【００１８】
図３、図４が示すように、第一杖部１０及び圧縮バネ３０を第二杖部２０の挿接孔３１に挿入した後、ナット５０を先端に移動させ、第二杖部２０の外ねじ溝２３と連結させることで、第一杖部１０と第二杖部２０は互いに連結される。挿合の際、ストッパーリング４０の外周の凸リブ４１とリブ溝２２は嵌合状態となり、方向決め及び位置決めの役割を果たすことが出来る。組立てが完成した後、ナット５０と第一杖部１０上のストッパーリング４０は片方向ロックを形成して第一杖部１０が第二杖部２０から脱落するのを防ぐことができるだけでなく、第一杖部１０はナット５０に対して第二杖部２０の方向に延伸できる。つまり、本考案は圧縮バネ３０の伸縮特性を利用して、登山時の振動によるダメージを抑え、登山時の安全性及び快適性を向上させたものになっている。
【００１９】
本考案の効果を以下に述べる。
【００２０】
１．本考案は、シンプルな構造により、加工がし易く、高い強度を有する。本考案における第一杖部１０は一体加工とすることができ、その付属パーツであるストッパーリング４０は挿接後にリベット接続とすることで、簡単な組み立てを実現できる。圧縮バネ３０は第一、第二杖部１０、２０を支え、第一、第二杖部１０、２０の間に弾性接続を形成し、浮動状態とすることで、より高い振動防止効果を得ることができる。
【００２１】
２．本考案は、第一杖部１０をナット５０に挿入接続した後、ナット５０と外ねじ溝２３の螺合により第一杖部１０と第二杖部２０が係合される。この構造は組立、分解が効率よく行えるだけでなく、保守性及び耐久性にも優れている。さらに、第一杖部１０のストッパーリング４０には凸リブ４１が形成されており、凸リブ４１と第二杖部２０の内孔壁のリブ溝２２を嵌合させることで、組立方向を明示し、位置決めの役割を果たすことができる。これにより、ナット５０と外ねじ溝２３の螺合及び取り外しをスピーディーに行い、組立効率を高めることができる。
【００２２】
以上、本考案の好ましい実施形態を説明したが、本考案はこの実施形態に限定されず、本考案の趣旨を離脱しない限り、本考案に対するあらゆる変更は本考案の範囲に属する。
【図面の簡単な説明】
【００２３】
【図１】本考案による振動防止構造を杖具に適用した場合の局部断面図である。
【図２】本考案による振動防止構造を杖具に適用した場合の立体図である。
【図３】本考案による振動防止構造を杖具に適用した場合の局部側面図である。
【図４】本考案による振動防止構造を杖具に適用した場合の他の断面図である。
【符号の説明】
【００２４】
１０  第一杖部
２０  第二杖部
２２  リブ溝
２３  外ねじ溝
３０  圧縮バネ
４０  ストッパーリング
４１  凸リブ
５０  ナット
【図１】
0003143876.tif 000003
【図２】
0003143876.tif 000004
【図３】
0003143876.tif 000005
【図４】
0003143876.tif 000006